(57)【要約】【課題】ＰＯＮシステム及び位置監視制御方法に関し、登録されたＯＮＵの設置位置が正常であるか否かを監視する。【解決手段】ＯＬＴと光カプラを介して光ファイバ伝送路により接続した複数のＯＮＵ＃１〜ＯＮＵ＃ｎと、ＯＬＴに接続した監視・制御端末２とを含み、ＯＬＴは、ＯＮＵ＃１〜ＯＮＵ＃ｎについてのユーザ名、住所、距離情報等を含むユーザ情報を第１のデータベース９に登録し、監視・制御端末２からの指示に従ってＯＮＵ＃１〜ＯＮＵ＃ｎを指定してループバックフレームによる距離測定を行い、測定距離情報を第２のデータベース１０に格納し、監視・制御端末２により、第１のデータベース９に登録された距離情報と、第２のデータベース１０に格納された測定距離情報とを比較して、誤差範囲内の場合は、ＯＮＵ＃１〜ＯＮＵ＃ｎの設置位置を正常と判定し、誤差範囲を超える相違の場合は不正移動と判定する。【選択図】図１
2011087173.tif 000002
【特許請求の範囲】
【請求項１】
光加入者線収容装置と光カプラを介して光ファイバ伝送路により接続した複数の光加入者線終端装置と、前記光加入者線収容装置に接続した監視・制御端末とを含むＰＯＮシステムに於いて、
前記光加入者線収容装置は、前記光加入者線終端装置についてのユーザ名、住所、距離情報を含むユーザ情報を登録する第１のデータベースと、前記監視・制御端末からの指示に従って前記光加入者線終端装置を指定してループバックフレームによる距離測定を行う制御部と、該制御部による測定距離情報を格納する第２のデータベースとを備え、
前記監視・制御端末は、前記第１のデータベースに登録された前記距離情報と前記第２のデータベースに格納された測定距離情報とを比較して、前記光加入者線終端装置の設置位置の正常性を確認する処理手段を備えた
ことを特徴とするＰＯＮシステム。
【請求項２】
前記監視・制御端末は、表示装置に、前記第１のデータベースに登録された前記光加入者線終端装置の住所と、前記第２のデータベースに格納された測定距離情報とを基に、前記光加入者線終端装置の位置を、光ファイバ伝送路と共に表示制御する制御部を備えたことを特徴とする請求項１記載のＰＯＮシステム。
【請求項３】
光加入者線収容装置と光カプラを介して光ファイバ伝送路により接続した複数の光加入者線終端装置と、前記光加入者線収容装置に接続した監視・制御端末とを含み、前記監視・制御端末により、前記光加入者線終端装置の設置位置を監視する位置監視制御方法に於いて、
前記監視・制御端末は、前記光加入者線収容装置を制御して、前記加入者線終端装置を順次指定し、ループバックフレームの送受信を行わせて、前記光加入者線収容装置と前記加入者線終端装置との間の距離を、光信号の前記光ファイバ伝送路の伝送速度と送受信に要する時間とを基に測定し、測定結果の測定距離情報を前記光加入者線収容装置の第２のデータベースに格納する過程と、
前記光加入者線収容装置の第１のデータベースに登録された前記光加入者線終端装置の登録情報の距離情報と、前記第２のデータベースに格納した測定距離情報とを比較して、前記光加入者線終端装置の設置位置の正常性を確認する過程と
を含むことを特徴とする位置監視制御方法。
【発明の詳細な説明】
【技術分野】
【０００１】
本発明は、光加入者線収容装置と加入者宅に設置した光加入者線終端装置との距離を測定して、光加入者線収容装置の設置位置を監視するＰＯＮシステム及び位置監視制御方法に関する。
【背景技術】
【０００２】
ＰＯＮ（Ｐａｓｓｉｖｅ  Ｏｐｔｉｃａｌ  Ｎｅｔｗｏｒｋ）システムは、局側の光加入者線収容装置（ＯＬＴ；Ｏｐｔｉｃａｌ  Ｌｉｎｅ  Ｔｅｒｍｉｎａｌ）と、複数の加入者宅に設置した光加入者線終端装置（ＯＮＵ；Ｏｐｔｉｃａｌ  Ｎｅｔｗｏｒｋ  Ｕｎｉｔ）とを、光信号の分岐及び結合を行う光カプラを介してそれぞれ光ファイバ伝送路により接続して、スター型ネットワークを構成したものであり、局側の光加入者線収容装置（以下「ＯＬＴ」と略称する）から各光加入者線終端装置（以下「ＯＮＵ」と略称する）に対しては、論理リンクＩＤにより指定した所定長のデータフレームを時分割多重化して送信し、各ＯＮＵは、論理リンクＩＤの識別判定により自装置宛のデータフレームを受信処理する。又ＯＮＵは、ＯＬＴから指定された送信タイミングで、論理リンクＩＤを付加した所定長のデータフレームを送信する。それにより、各ＯＮＵの異なる送信タイミングによる送信データフレームは、光カプラに於いて時分割多重化された状態でＯＬＴへ転送するもので、ＯＬＴでは、ＯＮＵから受信したデータフレームの論理リンクＩＤに従って他のネットワークに対して転送処理を行う。
【０００３】
又ＰＯＮシステムは、光半導体素子等の技術の進歩によって、伝送速度が１００Ｍｂｐｓ，１Ｇｂｐｓ，１０Ｇｂｐｓ，４０Ｇｂｐｓのように、次第に高速化されている。又ＯＬＴとＯＮＵとの間の光カプラによる分岐数は、例えば、４，８，１６，３２等が適用されており、このような光カプラによる分岐数に従った個数のＯＮＵをＯＬＴに対して接続することができる。又光信号波長は、ＯＮＵからＯＬＴに対する上り方向では、例えば、１２６０〜１３６０ｎｍ、ＯＬＴからＯＮＵに対する下り方向では、例えば、１４８０〜１５００ｎｍ又は１５７５〜１５８０ｎｍの光信号波長帯の中の選択された光波長が使用されている。又ＰＯＮシステムのＯＬＴに、光カプラを介してそれぞれ接続した複数のＯＮＵとの設置位置情報やアドレス情報等を記録したデータベースを設けて、ＯＮＵの管理を行い、又ＯＬＴ側から各ＯＮＵの何れかを指定してループバック試験を行い、ＯＬＴとＯＮＵとの間の正常性の試験を行うことが知られている。
【０００４】
又ＯＬＴ側から光ファイバに光パルスを入力し、その光ファイバの接続点、光カプラ、ＯＮＵ等による反射光を受信して、光パルスの送信時刻から反射光の受信時刻と受信光強度とを記録し、その中には、複数の各種の強度の反射光が多数存在するから、所定の領域を指定して、その中の反射光受信時刻と反射光強度と光速度とを基に、ＯＮＵ等の反射点の距離を算出する手段が提案されている（例えば、特許文献１）。又多数の反射光が観測されるから、光ファイバ伝送路の敷設情報に基づく距離情報を入力することにより、反射光が何れのＯＮＵ等の設備による反射光であるかを認識可能とする手段も提案されている（例えば、特許文献２参照）。又ＩＥＥＥ８０２．３ａｈの規定に従って、ＯＬＴ側からＯＮＵ側に対して、ＯＡＭフレームによるコマンドに従ったループバック設定を送信して、ＯＬＴ側からのループバック試験を行うことにより、ＯＮＵ側の正常性を試験する手段が提案されている（例えば、特許文献３参照）。
【先行技術文献】
【特許文献】
【０００５】
【特許文献１】特開２００７−６８３７６号公報
【特許文献２】特開２００７−１１６５９８号公報
【特許文献３】特開２００８−１０９１７７号公報
【発明の概要】
【発明が解決しようとする課題】
【０００６】
ＰＯＮシステムのユーザは、ＯＬＴ側にユーザ情報を登録して、ＯＮＵに接続したパソコン等の端末装置を使用して各種のデータの送受信を光信号により行うものであり、ＯＬＴに光カプラを介して光ファイバ伝送路により接続された各ＯＮＵは、システム立上げ時や、新規設置の場合に、ＯＬＴ側に、ＯＮＵのアドレス等の情報を登録するものである。従って、ＯＬＴ側からは、各ＯＮＵに対して、固定の通信端末装置と同様にして管理することができる。又光ファイバ伝送路については、高精度の光コネクタが汎用化され、システム構築作業が比較的容易になっている。このような点を含めて、或るＯＮＵを、他のＯＮＵと交換するように接続替えを行った場合、ＯＬＴ側からは登録認証情報等の変更がなければ、全く検知できない問題がある。又光ファイバの延長接続を行って、ＯＮＵの設置位置を変更する可能性もある。例えば、固定通信サービスに於ける０ＡＢ〜Ｊサービスのような装置設置位置を固定とすることを前提とした場合、ＯＮＵの設置位置の変更は、ＯＬＴ側による管理が充分でなくなり、システムの安定運用に問題が生じるおそれがある。このようなＯＮＵの設置位置について、前述の特許文献１に示す手段による反射光測定のみでは、ＯＮＵによる反射光であるか否かを判別することは容易ではない。その場合に、前述の特許文献２に示すように距離情報を入力して、ＯＮＵによる反射光であることを判別することを容易とした場合、ＯＮＵの設置位置の不正移動については検出することは不可能である。
【０００７】
本発明は、前述の従来の問題点を解決することを目的とするものであり、ＯＬＴ側から各ＯＮＵに対してＭＡＣアドレス等により指定し、ループテストフレームにより、ＯＬＴからのＯＮＵの距離を自動測定して、ＯＮＵの設置位置の監視、管理を行うものである。
【課題を解決するための手段】
【０００８】
本発明のＰＯＮシステムは、光加入者線収容装置（ＯＬＴ）と光カプラを介して光ファイバ伝送路により接続した複数の光加入者線終端装置（ＯＮＵ）と、光加入者線収容装置（ＯＬＴ）に接続した監視・制御端末とを含むＰＯＮシステムであって、光加入者線収容装置（ＯＬＴ）は、光加入者線終端装置（ＯＮＵ）についてのユーザ名、住所、距離情報を含むユーザ情報を登録する第１のデータベースと、監視・制御端末からの指示に従って光加入者線終端装置（ＯＮＵ）を指定してループバックフレームによる距離測定を行う制御部と、この制御部による測定距離情報を格納する第２のデータベースとを備え、監視・制御端末は、第１のデータベースに登録された距離情報と、第２のデータベースに格納された測定距離情報とを比較して、光加入者線終端装置（ＯＮＵ）の設置位置の正常性を確認する処理手段を備えている。
【０００９】
又監視・制御端末は、表示装置に、第１のデータベースに登録された光加入者線終端装置（ＯＮＵ）の住所と、第２のデータベースに格納された測定距離情報とを基に、光加入者線終端装置（ＯＮＵ）の位置を、光ファイバ伝送路と共に表示制御する制御部を備えている。
【００１０】
本発明の位置監視制御方法は、光加入者線収容装置（ＯＬＴ）と光カプラを介して光ファイバ伝送路により接続した複数の光加入者線終端装置（ＯＮＵ）と、光加入者線終端装置（ＯＮＵ）に接続した監視・制御端末とを含み、監視・制御端末により、光加入者線終端装置（ＯＮＵ）の設置位置を監視する位置監視制御方法であって、監視・制御端末は、光加入者線収容装置（ＯＬＴ）を制御して、加入者線終端装置（ＯＮＵ）を順次指定し、ループバックフレームの送受信を行わせて、光加入者線収容装置（ＯＬＴ）と加入者線終端装置（ＯＮＵ）との間の距離を、光信号の光ファイバ伝送路の伝送速度と送受信に要する時間とを基に測定し、測定結果の測定距離情報を、光加入者線収容装置（ＯＬＴ）の第２のデータベースに格納する過程と、光加入者線収容装置（ＯＬＴ）の第１のデータベースに登録された光加入者線終端装置（ＯＮＵ）の登録情報の距離情報と、第２のデータベースに格納した測定距離情報とを比較して、光加入者線終端装置（ＯＮＵ）の設置位置の正常性を確認する過程とを含むものである。
【発明の効果】
【００１１】
光加入者線収容装置（ＯＬＴ）から光カプラを介して光ファイバ伝送路により接続した複数の光加入者線終端装置（ＯＮＵ）の設置位置を、ループテストフレームの送受信により測定し、登録時の設置位置か否かを判定し、設置位置の不正変更を摘発することが可能となり、ＰＯＮシステムの安定運用を可能とする利点がある。
【図面の簡単な説明】
【００１２】
【図１】本発明の実施例１の説明図である。
【図２】本発明の実施例１のループテストフレームによる距離測定の説明図である。
【図３】本発明の実施例１の監視・制御端末とデータベースとの説明図である。
【図４】本発明の実施例１の光ファイバ伝送路の表示説明図である。
【図５】本発明の実施例１の監視制御処理の説明図である。
【発明を実施するための形態】
【００１３】
本発明のＰＯＮシステムは、図１を参照して説明すると、光加入者線収容装置（ＯＬＴ）と光カプラ３を介して光ファイバ伝送路により接続した複数の光加入者線終端装置（ＯＮＵ）と、光加入者線収容装置（ＯＬＴ）に接続した監視・制御端末２とを含むＰＯＮシステムであって、光加入者線収容装置（ＯＬＴ）は、光加入者線終端装置（ＯＮＵ）についてのユーザ名、住所、距離情報を含むユーザ情報を登録する第１のデータベース（ＤＢ）９と、監視・制御端末２からの指示に従って光加入者線終端装置（ＯＮＵ）を指定してループバックフレームによる距離測定を行う制御部と、この制御部による測定距離情報を格納する第２のデータベース（ＤＢ）１０とを備え、監視・制御端末２は、第１のデータベース９に登録された距離情報と、第２のデータベース１０に格納された測定距離情報とを比較して、光加入者線終端装置（ＯＮＵ）の設置位置の正常性を確認する処理手段を備えている。
【００１４】
又本発明の位置監視制御方法は、光加入者線収容装置（ＯＬＴ）と光カプラ３を介して光ファイバ伝送路により接続した複数の光加入者線終端装置（ＯＮＵ）と、光加入者線収容装置（ＯＮＵ）に接続した監視・制御端末２とを含み、監視・制御端末２により、光加入者線終端装置（ＯＮＵ）の設置位置を監視する位置監視制御方法であって、監視・制御端末は、光加入者線収容装置（ＯＬＴ）を制御して、加入者線終端装置（ＯＮＵ）を順次指定し、ループバックフレームの送受信を行わせて、光加入者線収容装置（ＯＬＴ）と加入者線終端装置（ＯＮＵ）との間の距離を、光信号の光ファイバ伝送路の伝送速度と送受信に要する時間とを基に測定し、測定結果の測定距離情報を、光加入者線収容装置（ＯＬＴ）の第２のデータベース１０に格納する過程と、光加入者線収容装置（ＯＬＴ）の第１のデータベース９に登録された光加入者線終端装置（ＯＮＵ）の登録情報の距離情報と、第２のデータベース１０に格納した測定距離情報とを比較して、光加入者線終端装置（ＯＮＵ）の設置位置の正常性を確認する過程とを含むものである。
【実施例１】
【００１５】
図１は、本発明の実施例１の説明図であり、１はＯＬＴ、２は監視・制御端末、３は光カプラ、４はＯＮＵ＃１〜＃ｎ、５は上位ネットワーク、６は制御処理部、７はインタフェース部、８は制御部、９，１０は第１及び第２のデータベースを示す。ＯＬＴ１は、制御処理部６とインタフェース部７とを含む構成を示し、図示を省略した上位ネットワーク５に対する送受信処理部と、光カプラ３側との間の光信号の送受信処理及び光信号と電気信号との間の変換処理機能とを含むものである。又第１のデータベース９に、ＯＮＵ＃１〜ＯＮＵ＃ｎのユーザ名と、住所と、装置名と、ＯＬＴ１からの距離情報を含む敷設光ファイバ情報とを登録する。又第２のデータベース１０は、ＯＬＴ１からＯＮＵ＃１〜ＯＮＵ＃ｎまでの後述の距離測定によって得られた測定距離情報を格納する。この測定距離情報は、ループテストフレームにより、ＯＮＵ＃１〜ＯＮＵ＃ｎ対応に測定して格納する。この場合の距離測定は、監視・制御端末２から保守要員の操作入力によって行うことができる。
【００１６】
図２は、ループテストフレームによる距離測定の説明図であり、ＯＬＴから指定したＯＮＵに対して、（１）距離測定用のフレーム、即ち、ループテストフレームを送信する。そのフレームに、送信した時刻Ａをタイムスタンプとして付加する。ＯＮＵは、受信フレームがループテストフレームであることを識別すると、（２）そのループテストフレームを折り返してＯＬＴへ送信する。ＯＬＴは、（３）ＯＮＵからのフレームを受信して、ＯＮＵとＯＬＴとの間の距離を算出する。この場合、ＯＬＴとＯＮＵとの間のフレーム伝送に要する時間をα、ＯＮＵに於けるフレーム折り返し処理に要する時間をβとすると、ループテストフレームの送信から折り返し受信までに要する時間Δｔは、タイムスタンプによる時刻Ａからループテストフレームの折り返し受信時刻までであり、ＯＮＵは、受信フレームを識別して、ループテストフレームであることを認識することにより、ＯＬＴへ送信する為の上り光信号波長によって折り返し送信を行うものであり、その場合の処理には或る程度の時間βを必要とする。
【００１７】
従って、送信時刻から折り返し受信時刻までの時間Δｔは、
Δｔ＝（時刻Ａ＋α＋β＋α）−（時刻Ａ）＝２α＋β
と表すことができるから、ＯＬＴからＯＮＵまでの光信号の伝送に要する時間αは、
α＝（Δｔーβ）／２
と表すことができる。例えば、α＝５４，３２１ｎｓの場合、光ファイバ伝送路による光信号の伝送遅延時間を、例えば、１ｋｍで５μｓとすると、距離は、１０，８６４．２ｍとなる。この場合の遅延時間測定の解像度を例えば１６ｎｓ程度とすると、測定距離は、±３．２ｍの誤差を含むことになる。従って、このＯＮＵは、ＯＬＴから１０，８６１．０ｍ〜１０，８６７．４ｍの距離に設置されているとすることができる。その場合、この測定距離情報を例えば平均値を測定距離として第２のデータベース１０に格納する。
【００１８】
第２のデータベース１０に、前述のループテストフレームによるＯＬＴ−ＯＮＵ間の測定距離情報をＯＮＵ対応に格納し、図３に示すように、監視・制御端末２は、第１のデータベース９から、ユーザ名、住所、装置名、設置時の距離情報等の登録情報を読出し、第２のデータベース１０から、ＯＬＴ−ＯＮＵ間の測定距離情報を読出して、それぞれユーザ名対応に、住所と、装置名と、測定距離情報とを表示することができる。この場合の測定距離情報は、前述のように、ＯＬＴから光信号によるループテストフレームを送受信して測定したものである。又ユーザ情報の登録時に、前述のように、ＯＬＴからの距離情報を含めて第１のデータベース９に登録し、この距離情報と、第２のデータベース１０に格納した測定距離情報とを照合し、誤差範囲内の場合、そのユーザのＯＮＵは正常位置に設置されていると判断し、誤差範囲を超えた距離差の場合は、ＯＮＵを不正に移動したものと判断することができる。この不正移動のＯＮＵに対しては、通信拒否やユーザ認証登録の抹消等の処置をとることができる。
【００１９】
図４は、本発明の実施例１の光ファイバ伝送路の表示説明図であり、監視・制御端末２と、そのデータベース１２と、表示画面１３と、前述のＯＬＴの第１、第２のデータベース９，１０の内容を含むデータベース１１とを示し、このＯＬＴ−ＯＮＵ間の距離情報を格納したデータベース１１には、ｇｅｐｏｎ−１等の装置名称と、ＩＦ０１等のｓｌｏｔ番号と、ＣＴ０１等のＯＮＵ番号と、１０８６４ｍ等の距離測定値とを対応付けている。又監視・制御端末２は、データベース１２に、ｎｏ１等の起点識別名称、Ｐｏｉｎｔ１等の終端ｐｏｉｎｔ、１０８６３ｍ等の距離、○○区ＡＡＡ１−１０−９等の住所を対応付けて格納し、このデータベース１２の内容を基に、表示画面１３に、地図上のＯＮＵの設置位置を、Ｐｏｉｎｔ１〜Ｐｏｉｎｔ５として表示することができる。
【００２０】
図５は、本発明の実施例１の監視制御処理の説明図であり、図１と同一符号は同一名称部分を示す。監視・制御端末２からＯＬＴ１に対して、ＯＮＵ＃１〜ＯＮＵ＃３の監視・制御を指示する。それにより、ＯＬＴ１は、前述のように、ＯＮＵ＃１〜ＯＮＵ＃３に対して順次ループテストフレームの送受信による距離測定を行う。ＯＬＴ１は、距離測定結果を第２のデータベース１０に格納する。距離測定終了により、監視・制御端末２は、ＯＬＴ１の第１のデータベース９に登録されたユーザ名、住所、装置名、ＯＬＴからの距離情報等を読出し、第２のデータベース１０から測定距離情報を読出して比較判定する。前述のように、比較結果、誤差範囲の場合は、例えば、ＯＮＵ＃１、ＯＮＵ＃２について示すように、住所＝設置場所  ＯＫとし、正常運用中と判定する。又ＯＮＵ＃３について示すように、誤差範囲を超えた比較結果の場合は、住所≠設置場所  ＮＧとし、不正移動のＯＮＵと判定する。この不正移動のＯＮＵに対しては、前述のように、通信拒否やユーザ認証登録の抹消等の処置をとることができる。従って、不正なＯＮＵをＰＯＮシステムから排除することが可能となり、安定化したシステム運用が可能となる。
【符号の説明】
【００２１】
１  ＯＬＴ
２  監視・制御端末
３  光カプラ
４  ＯＮＵ＃１〜＃ｎ
５  上位ネットワーク
６  制御処理部
７  インタフェース部
８  制御部
９，１０  第１、第２のデータベース
【図１】
2011087173.tif 000003
【図２】
2011087173.tif 000004
【図３】
2011087173.tif 000005
【図４】
2011087173.tif 000006
【図５】
2011087173.tif 000007